(57)【要約】      （修正有）【課題】本来の用具の体積を変化させずに殺菌機能を追加し、使用者が隨時単一のメイクアップ用具で殺菌でき、携帯型電子装置を利用して隨時給電でき、別途電池を設置する必要がなく、環境保護の優位性も備えたメイクアップ用具の殺菌構造を提供する。【解決手段】メイクアップ用具の殺菌構造は主に、ケース１と、蓋体２と、回路基板３と、殺菌部材４と、ＵＳＢ給電コネクタ５を含み、該殺菌部材４が回路基板３上に設置され、回路基板３が蓋体２内に設置され、かつ蓋体２の一側にＵＳＢ給電コネクタ５とケース１が設置され、使用者がケース１内に入れたメイクアップ用具を殺菌したいとき、蓋体２を被せ、ＵＳＢ給電コネクタ５を電子装置に接続して回路基板３に給電し、殺菌部材４を作動させてメイクアップ用具の殺菌消毒を行うことができ、隨時メイクアップ用具を消毒できるだけでなく、外部電子装置により隨時給電して殺菌に使用することができる。【選択図】図２
0003217475.tif 000002
【実用新案登録請求の範囲】
【請求項１】
メイクアップ用具を収容するケースと、
該ケースと相互に結合可能な蓋体と、
該蓋体内に設置された回路基板と、
該回路基板上に設置された少なくとも１つの殺菌部材と、
該蓋体の一側に設置され、該回路基板に電気的に接続されたＵＳＢ給電コネクタと、
を含むことを特徴とする、メイクアップ用具の殺菌構造。
【請求項２】
前記蓋体の一端に収容口が定義され、該回路基板が該蓋体の該収容口から離して設置され、かつ該収容口が該回路基板と互いに対向して設置されたことを特徴とする、請求項１に記載のメイクアップ用具の殺菌構造。
【請求項３】
前記蓋体上に該ＵＳＢ給電コネクタの接続口を露出させるための挿入口が設けられたことを特徴とする、請求項２に記載のメイクアップ用具の殺菌構造。
【請求項４】
前記蓋体が該収容口箇所に第１固定部を備え、該ケース上に該第１固定部と相互に固定可能な第２固定部が設けられたことを特徴とする、請求項２に記載のメイクアップ用具の殺菌構造。
【請求項５】
前記殺菌部材がＵＶ-ＬＥＤランプであり、該ＵＳＢ給電コネクタがプラグアンドプレイコネクタ（ＵＳＢ）であることを特徴とする、請求項１に記載のメイクアップ用具の殺菌構造。
【請求項６】
前記回路基板上に電力切断部材が設置され、該ＵＳＢ給電コネクタが伝送する電力を切断するために用いられ、かつ該電力切断部材が温度検出コントローラチップまたはタイミングコントローラチップのいずれかであることを特徴とする、請求項１に記載のメイクアップ用具の殺菌構造。
【考案の詳細な説明】
【技術分野】
【０００１】
本考案はメイクアップ用具に関し、特に、殺菌技術を搭載した蓋体を備えた、メイクアップ用具の殺菌構造に関する。
【背景技術】
【０００２】
美しさを求めることは女性の天性であり、美しさを求める女性は皆、友人や同僚の面前で輝くことを望んでいるため、デートや集まりに出かけるときは、顔やその他身体部位に化粧を施し、外観の輝きを増そうとする。メイクアップの用具は非常に多様であり、異なる身体部位に対して異なるメイクアップ化粧品がある。例えば、唇には口紅、眉にはアイブローペンシル、顔の表面にはパフ等が使われるが、いずれもメイクアップ用具に属するため、毎年メイクアップ用具という分野の販売数は非常に大きいと言える。
【０００３】
この産業には巨大なビジネスチャンスがあるため、その他の部分をより強化するため、ある業者は殺菌機能を備えたメイクアップボックスを開発しており、例えば台湾特許証書第Ｍ４７２４４２号「ＵＶ殺菌メイクアップボックス」は、外殼構造と、該外殼構造の内側に位置する１つまたは複数の可動容器を含み、該外殼構造の上層がＵＶ殺菌ボックスであり、さらに殺菌ボックスが、ＵＶランプ座体、ＵＶ殺菌ランプ、ＵＶランプ座体の下に位置する外蓋を含み、該外殼構造の上層外側に携帯用ハンドルが設置されている。メイクアップ用品は長期にわたって使用するため、充分な殺菌及び乾燥処理ができず、細菌が発生しやすく、次のメイクアップ使用者の衛生と肌の健康によくない影響を生じる可能性がある。このため、この先行技術はＵＶ殺菌設備をメイクアップボックスに組込み、メイクアップ用具に屋内または屋外のいずれにおいてもＵＶ殺菌を行うことができ、メイクアップ用品をより清潔に、乾燥した衛生的な状態にすることで、メイクアップ使用者の肌の健康を保障するものである。しかしながら、該メイクアップボックスは内部のメイクアップ用品に対して殺菌を行うことができるものの、このようなメイクアップボックスは構造上携帯しにくく、使用者が単一のメイクアップ用具（例：口紅）のみを携帯したい場合、それだけに対して殺菌を行うことができない。
【先行技術文献】
【特許文献】
【０００４】
【特許文献１】台湾特許証書第Ｍ４７２４４２号明細書
【考案の概要】
【考案が解決しようとする課題】
【０００５】
本考案の主な目的は、蓋体内の回路基板と殺菌部材の設計を通じ、本来の体積が変化しない状況下で、殺菌の機能を追加し、かつ本来の体積が変化しないため、使用者が隨時メイクアップ用具に対して殺菌消毒を行うことができ、単一のメイクアップ用具でも殺菌することができる、メイクアップ用具の殺菌構造を提供することにある。
【０００６】
本考案の別の主な目的は、携帯している電子装置（例：スマートフォン）を利用して、隨時本考案に給電して殺菌を行うことができ、別途電池を設置する必要がなく、環境保護の優位性も兼ね備えた、メイクアップ用具の殺菌構造を提供することにある。
【課題を解決するための手段】
【０００７】
上述の目的を達成するため、本考案のメイクアップ用具の殺菌構造の主な構造は、ケースを含み、該ケースにメイクアップ用具を収容することができ、かつ該ケースが蓋体と連結可能であり、該蓋体内に回路基板が設置され、該回路基板上に少なくとも１つの殺菌部材と、電力切断部材が設置され、かつ該回路基板がＵＳＢ給電コネクタに電気的に接続され、該ＵＳＢ給電コネクタが該蓋体の一側に設置される。使用者がメイクアップ用具の使用を終えた後、該蓋体を該ケース上に被せ、該ＵＳＢ給電コネクタを電子装置に電気的に接続し、該電子装置の電力を該回路基板に伝送して必要な電力を供給し、該殺菌部材を作動させてメイクアップ用具に対する殺菌消毒を行い、次にメイクアップ用具を使用するときより清潔にすることができる。このほか、電子装置で該回路基板に一定時間給電した後、該電力切断部材が該電子装置からの電力を切断し、使用者が安心して使用することができる。
【０００８】
以下この考案について説明する。請求項１に記載するメイクアップ用具の殺菌構造は、メイクアップ用具を収容するケースと、該ケースと相互に結合可能な蓋体と、該蓋体内に設置された回路基板と、該回路基板上に設置された少なくとも１つの殺菌部材と、該蓋体の一側に設置され、該回路基板に電気的に接続されたＵＳＢ給電コネクタと、を含む。
【０００９】
請求項２に記載するメイクアップ用具の殺菌構造は、請求項１における前記蓋体の一端に収容口が定義され、該回路基板が該蓋体の該収容口から離して設置され、かつ該収容口が該回路基板と互いに対向して設置される。
【００１０】
請求項３に記載するメイクアップ用具の殺菌構造は、請求項２における前記蓋体上に該ＵＳＢ給電コネクタの接続口を露出させるための挿入口が設けられる。
【００１１】
請求項４に記載するメイクアップ用具の殺菌構造は、請求項２における前記蓋体が該収容口箇所に第１固定部を備え、該ケース上に該第１固定部と相互に固定可能な第２固定部が設けられる。
【００１２】
請求項５に記載するメイクアップ用具の殺菌構造は、請求項１における前記殺菌部材がＵＶ-ＬＥＤランプであり、該ＵＳＢ給電コネクタがプラグアンドプレイコネクタ（ＵＳＢ）である。
【００１３】
請求項６に記載するメイクアップ用具の殺菌構造は、請求項１における前記回路基板上に電力切断部材が設置され、該ＵＳＢ給電コネクタが伝送する電力を切断するために用いられ、かつ該電力切断部材が温度検出コントローラチップまたはタイミングコントローラチップのいずれかである。
【考案の効果】
【００１４】
上述の技術により、本考案は、従来のＵＶ殺菌メイクアップボックスに存在する、該メイクアップボックス内部のメイクアップ用品に対して殺菌を行うことができるものの、構造上携帯しにくく、使用者が単一のメイクアップ用具（例：口紅）のみを携帯したい場合、それだけに対して殺菌を行うことができない問題と、電力切断メカニズムを備えていないために、充電式の給電電源を使用すると、電力切断を忘れて電源の無駄を生じやすい問題を解決できる、実用性と進歩性という利点を備えている。
【図面の簡単な説明】
【００１５】
【図１】本考案の最良の実施例の立体透視図である。
【図２】本考案の最良の実施例の分解図である。
【図３】本考案の最良の実施例の実施を示す概略図である。
【図４】本考案の最良の実施例の使用を示す概略図である。
【図５】本考案の最良の実施例の殺菌を示す概略図である。
【図６】本考案の最良の実施例の電力切断を示す概略図である。
【図７】本考案の別の最良の実施例を示す概略図である。
【考案を実施するための形態】
【実施例１】
【００１６】
図１と図２に本考案の最良の実施例の立体透視図と分解図をそれぞれ示す。これらの図からはっきりと分かるように、本考案は、メイクアップ用具を収容するためのケース１と、該ケース１と相互に結合可能な蓋体２と、該蓋体２内に設置された回路基板３と、該回路基板３上に設置された少なくとも１つの殺菌部材４と、該蓋体２の一側に設置されたＵＳＢ給電コネクタ５と、前記該回路基板３上に設置された電力切断部材６を含む。
【００１７】
前記ケース１は、下述する第１固定部２１１と相互に固定される第２固定部１１を備え、
前記蓋体２はその一端に第１固定部２１１を備えた収容口２１が定義され、下述する回路基板３が該蓋体２の該収容口２１から離して設置され、かつ該収容口２１が該回路基板３と互いに対向して設置され、
該蓋体２上に下述するＵＳＢ給電コネクタ５を露出させるための挿入口２２が定義され、
前記殺菌部材４はＵＶ-ＬＥＤランプであり、
前記ＵＳＢ給電コネクタ５は該回路基板３と電気的に接続され、かつ該ＵＳＢ給電コネクタ５はプラグアンドプレイコネクタ（ＵＳＢ）であり、
前記電力切断部材６は、該ＵＳＢ給電コネクタ５が伝送する電力を切断するために用いられ、かつ該電力切断部材６は温度検出コントローラチップまたはタイミングコントローラチップのいずれかである。
【００１８】
図１、図２、図３、図４、図５、図６の本考案の最良の実施例の立体透視図、分解図、実施を示す概略図、使用を示す概略図、殺菌を示す概略図、電力切断を示す概略図を同時に参照する。これらの図からはっきりと分かるように、本実施例の回路基板３はＰＣＢ回路板を例とし、殺菌部材４はＵＶ-ＬＥＤランプを例とし、ＵＳＢ給電コネクタ５はプラグアンドプレイコネクタ（ＵＳＢ）を例とし、電力切断部材６はタイミングコントローラチップを例とし、第１固定部２１１は凸部を例とし、第２固定部１１は凹部を例としている。使用者がメイクアップ作業を行いたいときは、蓋体２を回動させるか抜き取ることで、第１固定部２１１と第２固定部１１を分離させて蓋体２をケース１から離脱させる。これによりケース１内のメイクアップ用具７（ブラシを例とする）を使用してメイクアップを行い、その後メイクアップ用具７を消毒したいときは、蓋体２をケース１上に被せ、ケース１の前端を収容口２１に通過させ、かつ電子装置８（この電子装置８はモバイルバッテリーまたは一般的なスマートフォンなどとすることができる）を通じ、電子装置８のケーブルをＵＳＢ給電コネクタ５に挿入して、電子装置８の電力を回路基板３に伝送し、回路基板３に動作を開始させ、殺菌部材４を作動させて殺菌効果のある殺菌光を生成し、この殺菌光をメイクアップ用具７上に照射させると、殺菌を行うことができる。
【００１９】
また、使用者がメイクアップ用具７に対して一定時間殺菌を行った後、その電力切断部材６が回路基板３に対して電力切断を行い、殺菌部材４をオフにする。つまり、使用者が回路基板３を作動させ、殺菌部材４の作動を開始したとき、電力切断部材６が時間の計測を開始し、予め設定された時間に達すると、自動的に電子装置８からの電力を切断し、殺菌部材４を強制的にオフ状態にすることで、使用者がオフにし忘れて電源の無駄を生じることを効果的に防止できる。
【実施例２】
【００２０】
図７に本考案の別の最良の実施例の概略図を示す。この図から分かるように、本実施例と上述実施例の違いは、本実施例が主にメイクアップ用具７を平らに寝かせる方式でケース１内に配置しており、蓋体２の殺菌部材４が蓋体２内に嵌設されるため、殺菌部材４の作動が開始されると、メイクアップ用具７の特定部位に限らず、メイクアップ用具７全体に対して殺菌消毒を行う点にある。
【００２１】
以上の説明は本考案の最良の実施例を示したものであり、これによって本考案の特許範囲が限定されることはなく、本考案の明細書及び図面の内容を運用した簡易な修飾及び同等効果の構造変化はいずれも本考案の範囲内に含まれる。
【００２２】
従って、全部の図面に示すように、本考案の使用時は従来の技術と比較して次の利点が存在する。
一、蓋体２内の殺菌部材４の設計を通じ、本来の体積が変化しない状況下で、殺菌の機能を追加し、かつ本来の体積が変化しないため、使用者が隨時メイクアップ用具７に対して殺菌消毒を行うことができ、単一のメイクアップ用具７でも殺菌することができる。
二、電力切断部材６の自動電力切断設計により、使用者が電源を切断し忘れて電力を無駄にする状況を効果的に防止できる。
三、携帯している電子装置８（例：スマートフォン）を利用して、隨時本考案に給電して殺菌を行うことができ、別途電池を設置する必要がなく、環境保護の優位性も兼ね備えている。
【符号の説明】
【００２３】
１        ケース
１１      第２固定部
２        蓋体
２１      収容口
２１１    第１固定部
２２      挿入口
３        回路基板
４        殺菌部材
５        ＵＳＢ給電コネクタ
６        電力切断部材
７        メイクアップ用具
８        電子装置
【図１】
0003217475.tif 000003
【図２】
0003217475.tif 000004
【図３】
0003217475.tif 000005
【図４】
0003217475.tif 000006
【図５】
0003217475.tif 000007
【図６】
0003217475.tif 000008
【図７】
0003217475.tif 000009